(57)【特許請求の範囲】
【請求項１】
遊技盤面の中央に変動入賞装置が設けられ、
この変動入賞装置は、
遊技球が前記遊技盤面に設けられた始動領域を通過することにより、所定回数開放する開閉部材と、
前記開閉部材の内側に配置され、前記変動入賞装置への入賞球を検出するカウントスイッチと、
前記開閉部材を通じて前記変動入賞装置内へ入賞した遊技球の通過により特別遊技に移行するための契機を与える特定領域と、を備え、
前記変動入賞装置内へ入賞した遊技球が前記特定領域を通過すると、前記変動入賞装置の前記開閉部材が所定回数開放するか、遊技球が前記変動入賞装置へ入賞可能な上限個数入賞するか、遊技球が前記特定領域を通過するかのいずれかが成立するまで１ラウンドの前記開閉部材の連続開閉が行われ、１ラウンドの前記開閉部材の連続開閉中に、遊技球が前記特定領域を通過すると、次のラウンドの特別遊技へ移行する遊技機において、
前記変動入賞装置は、
前記カウントスイッチで検出された遊技球が、落下した後に遊技者側へ向けて転がるように、遊技者側に向かって下向きの傾斜が設けられた案内板と、
この案内板の遊技者側の端部に配置され、特別遊技の開始以前には遊技球を貯留せず、特別遊技中に遊技球を貯留する遊技球貯留装置と、
この遊技球貯留装置に隣接して設けられ、前記遊技球貯留装置に貯留される遊技球を検出する役物内検出スイッチと、
前記遊技球貯留装置の下方であって、且つ、前記特定領域の上方に配置され、前記特別遊技の開始時には、前記遊技盤面の内側へ引き込まれたままで、遊技球が前記特定領域を通過することを可能にし、前記役物内検出スイッチにて所定個数の遊技球が検出されると、前記特定領域の上方に突出して前記特定領域を遮蔽し、遊技球が前記特定領域を通過することを防ぎ、前記カウントスイッチにて前記変動入賞装置へ上限個数の入賞が検出されると、前記遊技盤面の内側へ引き込まれて、遊技球が前記特定領域を通過することを可能にする遮蔽部材と、を備え、
前記カウントスイッチにて前記変動入賞装置へ上限個数の入賞が検出されると、前記遮蔽部材が前記遊技盤面の内側へ引き込まれ、遊技球が前記特定領域を通過することを可能にした後、前記遊技球貯留装置が貯留した遊技球を開放し、前記遊技球貯留装置から開放された遊技球が前記特定領域を通過することにより、前記変動入賞装置へ遊技球が上限個数入賞してから次ラウンドの特別遊技に移行するように構成されたことを特徴とする遊技機。
【請求項２】
前記遊技球貯留装置は、左右対称の部材から成ることを特徴とする請求項１に記載の遊技機。
【発明の詳細な説明】
【０００１】
【発明の属する技術分野】
この発明は、特定領域を遊技球が通過することにより特別遊技に移行する遊技機に関するものである。
【０００２】
【従来の技術】
第２種パチンコ機においては、遊技盤面の中央に変動入賞装置が設けられ、遊技球が始動領域を通過することで、変動入賞装置の開閉部材が所定回数開放し、この時に変動入賞装置内へ入賞した遊技球が特定領域を通過すると、特別遊技へ移行する。
特別遊技では、１５ラウンドの変動入賞装置の開閉部材の連続開閉が行われる。ここで、１ラウンドは、変動入賞装置の開閉部材が所定回数開放するか、遊技球が変動入賞装置へ所定個数入賞するか、特定領域を通過するかのいずれかが成立するまで継続する。そして、このラウンド中に、遊技球が特定領域を通過すると、次のラウンドに移行する。
【０００３】
第２種パチンコ機では、特定領域を通過すると、次ラウンドへ移行するため、遊技球の変動入賞装置への入賞数が少ない時点で特定領域を通過すると、遊技者に不利益を与えることになる。このため、種々の提案がなされている。例えば、変動入賞装置内の特定領域の近辺に遊技球を一時停留させる停留装置を配置し、入賞した遊技球の幾つかを停留装置に停留させ、１ラウンドの上限入賞数が入賞した後、停留装置に停留した遊技球を開放することで、遊技球を特定領域に案内する等の工夫がなされている。
【０００４】
【発明が解決しようとする課題】
しかしながら、停留装置を設けても、変動入賞装置に入賞した遊技球の中で、停留装置に停留している遊技球とは別の遊技球が、特定領域を通過する場合がある。その場合には、変動入賞装置へ１ラウンドの上限入賞数が入賞する前に、次ラウンドへ移行することになり、遊技者が獲得できる遊技球が少なくなるという課題があった。
【０００５】
本発明は、上述した課題を解決するためになされたものであり、その目的とするところは、獲得できる遊技球の数を確保できると共に、遊技の興趣を高めた遊技機を提供することにある。
【０００６】
【課題を解決するための手段】
本発明は、上記した目的を達成するため、請求項１の発明では、遊技盤面の中央に変動入賞装置が設けられ、この変動入賞装置は、遊技球が前記遊技盤面に設けられた始動領域を通過することにより、所定回数開放する開閉部材と、前記開閉部材の内側に配置され、前記変動入賞装置への入賞球を検出するカウントスイッチと、前記開閉部材を通じて前記変動入賞装置内へ入賞した遊技球の通過により特別遊技に移行するための契機を与える特定領域と、を備え、前記変動入賞装置内へ入賞した遊技球が前記特定領域を通過すると、前記変動入賞装置の前記開閉部材が所定回数開放するか、遊技球が前記変動入賞装置へ入賞可能な上限個数入賞するか、遊技球が前記特定領域を通過するかのいずれかが成立するまで１ラウンドの前記開閉部材の連続開閉が行われ、１ラウンドの前記開閉部材の連続開閉中に、遊技球が前記特定領域を通過すると、次のラウンドの特別遊技へ移行する遊技機において、前記変動入賞装置は、前記カウントスイッチで検出された遊技球が、落下した後に遊技者側へ向けて転がるように、遊技者側に向かって下向きの傾斜が設けられた案内板と、この案内板の遊技者側の端部に配置され、特別遊技の開始以前には遊技球を貯留せず、特別遊技中に遊技球を貯留する遊技球貯留装置と、この遊技球貯留装置に隣接して設けられ、前記遊技球貯留装置に貯留される遊技球を検出する役物内検出スイッチと、前記遊技球貯留装置の下方であって、且つ、前記特定領域の上方に配置され、前記特別遊技の開始時には、前記遊技盤面の内側へ引き込まれたままで、遊技球が前記特定領域を通過することを可能にし、前記役物内検出スイッチにて所定個数の遊技球が検出されると、前記特定領域の上方に突出して前記特定領域を遮蔽し、遊技球が前記特定領域を通過することを防ぎ、前記カウントスイッチにて前記変動入賞装置へ上限個数の入賞が検出されると、前記遊技盤面の内側へ引き込まれて、遊技球が前記特定領域を通過することを可能にする遮蔽部材と、を備え、前記カウントスイッチにて前記変動入賞装置へ上限個数の入賞が検出されると、前記遮蔽部材が前記遊技盤面の内側へ引き込まれ、遊技球が前記特定領域を通過することを可能にした後、前記遊技球貯留装置が貯留した遊技球を開放し、前記遊技球貯留装置から開放された遊技球が前記特定領域を通過することにより、前記変動入賞装置へ遊技球が上限個数入賞してから次ラウンドの特別遊技に移行するように構成されたことを特徴とする。
【０００７】
請求項１の遊技機では、遮蔽部材が、特定領域を遮蔽するため、可変入賞口への入賞が少ない段階で、遊技球が特定領域を通過して、次の特別遊技に移行することがなくなる。ここで、遮蔽部材による特定領域の遮蔽を、遊技球貯留装置に遊技球が貯留した後に行うため、遊技の興趣を高めることができる。
【０００８】
請求項１の遊技機では、遮蔽部材が、所定個数の遊技球が可変入賞口に入賞した後、遮蔽を解除するため、可変入賞口への所定個数の入賞を確実なものにすることができる。
【０００９】
請求項１の遊技機では、遮蔽部材が、遊技球貯留装置に所定個数の遊技球が停留すると、遮蔽を行うため、遊技の興趣を高めることができる。
【００１０】
【発明の実施の形態】
以下、本発明の第１実施形態に係る遊技機について図を参照して説明する。
図１は第１実施態様の第２種パチンコ機の遊技盤面１２を示している。遊技盤面１２の中央位置には、変動入賞装置４０が配置されている。遊技盤面１２の下端には、遊技球を排出するためのアウト口３０が設けられている。変動入賞装置４０の斜め上方には、大入賞口２２が設けられている。変動入賞装置４０の左右には、右袖入賞口２４Ｒ、左袖入賞口２４Ｌが設けられている。右袖入賞口２４Ｒの下方には、右入賞口２６Ｒが、左袖入賞口２４Ｌの下方には左入賞口２６Ｌが配置されている。一方、変動入賞装置４０の下方には、右第２種始動口２８Ｒ、中第２種始動口２８Ｃ、左第２種始動口２８Ｌが設けられている。ここで、右第２種始動口２８Ｒ、左第２種始動口２８Ｌに遊技球の入賞があると、変動入賞装置４０の右開閉部材４２Ｒ、左開閉部材４２Ｌが０．９秒間、左右に１回開閉する。また、中第２種始動口２８Ｃに遊技球の入賞があると、変動入賞装置４０の右開閉部材４２Ｒ、左開閉部材４２Ｌが０．９秒間、左右に２回開閉する。この右開閉部材４２Ｒ、左開閉部材４２Ｌの開放中に、遊技球が変動入賞装置４０へ入賞し、入賞した遊技球が特定領域４４を通過すると、最大１５ラウンドの特別遊技へ移行する。
【００１１】
ここで、１ラウンドの特別遊技では、右開閉部材４２Ｒ、左開閉部材４２Ｌを１８回開閉することで、遊技球の非常に入賞し易い状態を提供する。この右開閉部材４２Ｒ、左開閉部材４２Ｌの１８回の開閉以前に１０個の遊技球が変動入賞装置４０へ入賞することにより、１ラウンドが終了し、次ラウンドへ移行する。ラウンドは、最大１５回まで継続する。本実施形態では、入賞球を貯留する貯留装置５６を配設することで、右開閉部材４２Ｒ、左開閉部材４２Ｌの１８回開閉する内に、１個の入賞があれば、貯留装置５６に一旦貯留された後、特定領域４４を通過して次ラウンドへ移行する。また、特定領域４４を遮蔽部材５８が遮蔽することで、１ラウンド中に上限の１０個の入賞以前に、特定領域４４を遊技球３２が通過し、次ラウンドへ移行することがないように構成されている。
【００１２】
本実施形態の変動入賞装置４０の構造について、図２〜図５を参照して更に詳細に説明する。
図２（Ｂ）は、変動入賞装置４０の正面図であり、図２（Ａ）は、図２（Ｂ）のＡ−Ａ断面を示している。ここで、図２（Ａ）及び図２（Ｂ）は、特別遊技へ移行する前の通常状態を示している。右開閉部材４２Ｒ、左開閉部材４２Ｌの内側には、変動入賞装置４０への入賞数を検出する右１０カウントスイッチ４６Ｒ、左１０カウントスイッチ４６Ｌとが配置されている。右開閉部材４２Ｒ、左開閉部材４２Ｌの開放により変動入賞装置４０へ入賞した遊技球は、右１０カウントスイッチ４６Ｒ又は左１０カウントスイッチ４６Ｌで検出され、図２（Ａ）に示す変動入賞装置４０の奥手側（図２（Ａ）中の上側）の案内板４８側へ落下する。案内板４８は、前側（図２（Ａ）中の下側）へ傾斜が付けられていて、遊技球は前方へ向けて転がり、特定領域４４、又は、非特定領域４５を通過する。この状態において、特定領域４４の上方の遮蔽部材５８は、内側へ引き込まれており、特定領域４４への遊技球の通過を妨げないようにしている。
【００１３】
ここで、該案内板４８には、後述する特別遊技において遊技球を中央側へ寄せるための右中央寄せ装置５０Ｒ及び左中央寄せ装置５０Ｌが設けられている。右中央寄せ装置５０Ｒ及び左中央寄せ装置５０Ｌは、軸５２によりハ字状、及び、逆ハ字状に移動可能に支持されている。案内板４８の前端部には、特別遊技中に遊技球を貯留する貯留装置５６が配置されている。貯留装置５６は、左右対称の右貯留装置５６Ｒ及び左貯留装置５６Ｌからなる。貯留装置５６に隣接し、貯留装置５６へ貯留される遊技球を検出するための役物内検出スイッチ５４が配置されている。
【００１４】
ここで、特別遊技の開始以前には、右中央寄せ装置５０Ｒ及び左中央寄せ装置５０Ｌは、ハ字状に開いており、遊技球を中央に寄せることはない。役物内検出スイッチ５４は、下方へ引き込まれ、案内板４８を転動する遊技球と干渉しないようになっている。また、右貯留装置５６Ｒ及び左貯留装置５６Ｌは、左右に分離しており、遊技球を貯留することはない。図２（Ａ）及び図２（Ｂ）に示す状態で、変動入賞装置４０へ入賞した遊技球が、特定領域４４を通過すると、上述したように特別遊技が開始される。
【００１５】
図３（Ｂ）は、特別遊技開始時の変動入賞装置４０の正面図であり、図３（Ａ）は、図３（Ｂ）のＡ−Ａ断面図である。特別遊技開始時に、右中央寄せ装置５０Ｒ及び左中央寄せ装置５０Ｌは、逆ハ字状に閉じ、遊技球を中央に寄せる。役物内検出スイッチ５４は、上方へ押し上げられ、貯留装置５６側へ転入する遊技球を検出する。そして、右貯留装置５６Ｒ及び左貯留装置５６Ｌは、合体して遊技球を貯留できるようになる。特別遊技開始時においては、特定領域４４の上方の遮蔽部材５８は、内側へ引き込まれたままでいる。
【００１６】
特別遊技の開始により、変動入賞装置４０の右開閉部材４２Ｒ、左開閉部材４２Ｌが開き、遊技球が変動入賞装置４０へ入賞すると、右１０カウントスイッチ４６Ｒ、左１０カウントスイッチ４６Ｌで検出された後、図３（Ａ）に示す変動入賞装置４０の奥手側の案内板４８側へ落下する。遊技球は、案内板４８を前方に向けて転動する際に、右中央寄せ装置５０Ｒ及び左中央寄せ装置５０Ｌによって中央に寄せられ、役物内検出スイッチ５４で検出された後、貯留装置５６中に貯留される。
【００１７】
図４（Ｂ）は、貯留装置５６に遊技球３２が貯留された状態を示す変動入賞装置４０の正面図であり、図４（Ａ）は、図４（Ｂ）のＡ−Ａ断面図である。役物内検出スイッチ５４で３個の遊技球が検出されると、図４（Ａ）及び図４（Ｂ）に示すように、遮蔽部材５８が突出し、特定領域４４の通過を防ぐ。この時点で、貯留装置５６に３個の遊技球が貯留されており、４個目以降の入賞球は、貯留装置５６から溢れ、非特定領域４５側を通過して、遊技盤面１２の裏面側へ導かれる。もし、特定領域４４側へ遊技球が向かっても、遮蔽部材５８が突出しているので、停留装置５６以外の遊技球が特定領域４４を通過することもなく、遊技者が獲得できる遊技球が少なくなることもない。
【００１８】
右１０カウントスイッチ４６Ｒ及び左１０カウントスイッチ４６Ｌで、１ラウンドの上限である１０個の入賞が検出されると、右開閉部材４２Ｒ、左開閉部材４２Ｌの開閉が終了する。そして、特定領域４４の上方の遮蔽部材５８は、内側へ引き込まれて、特定領域４４への遊技球の通過を可能にした後、貯留装置５６に貯留された遊技球３２が開放される。
【００１９】
図５（Ｂ）は、貯留装置５６の開放時の変動入賞装置４０の正面図であり、図５（Ａ）は、図５（Ｂ）のＡ−Ａ断面図である。図５（Ａ）及び図５（Ｂ）に示すように、右貯留装置５６Ｒ、左貯留装置５６Ｌが左右へ分離し、貯留装置５６に貯留された遊技球３２が開放され、特定領域４４を通過する。これにより、１５ラウンドの終了以前には、次ラウンドの特別遊技に移行する。
【００２０】
本実施形態のパチンコ機では、右開閉部材４２Ｒ、左開閉部材４２Ｌの１８回開閉する内に、１個の入賞があれば、貯留装置５６に貯留され、１８回開閉終了後に、貯留装置５６の開放にて該貯留された遊技球３２が特定領域４４を通過する。このため、次ラウンドへ確実に移行することができる。また、上限の１０個の入賞以前には、特定領域４４が遮蔽部材５８により遮蔽されているため、遊技球が特定領域４４が通過し、次ラウンドへ移行することがない。更に、貯留装置５６の貯留数である３個の遊技球３２を役物内検出スイッチ５４で検出した際に、該遮蔽部材５８が特定領域４４を遮蔽するように構成されているため、特別遊技の開始と同時に遮蔽部材を動作させるのと比較して、あたかも特定領域４４を遊技球が通過するのでは無いかという印象を与え、スリルがあり、興趣を高めることができる。
【００２１】
なお、本実施形態では、役物内検出スイッチ５４により３個の遊技球の検出により遮蔽部材５８を動作させたが、１又は２球の検出で動作させるようにも設定可能である。
【００２２】
【発明の効果】
以上のように、本発明によれば、遮蔽部材が、特定領域を遮蔽するため、可変入賞口への入賞が少ない段階で、遊技球が特定領域を通過して、次の特別遊技に移行することがなくなる。ここで、遮蔽部材による特定領域の遮蔽を、遊技球貯留装置に遊技球が貯留した後に行うため、遊技の興趣を高めることができる。
【図面の簡単な説明】
【図１】第１実施態様の第２種パチンコ機の遊技盤面の正面図である。
【図２】図２（Ｂ）は、特別遊技開始以前の変動入賞装置の正面図であり、図２（Ａ）は、図２（Ｂ）のＡ−Ａ断面図である。
【図３】図３（Ｂ）は、特別遊技開始時の変動入賞装置の正面図であり、図３（Ａ）は、図３（Ｂ）のＡ−Ａ断面図である。
【図４】図４（Ｂ）は、貯留装置に遊技球が貯留された状態を示す変動入賞装置の正面図であり、図４（Ａ）は、図４（Ｂ）のＡ−Ａ断面図である。
【図５】図５（Ｂ）は、貯留装置の開放時の変動入賞装置の正面図であり、図５（Ａ）は、図５（Ｂ）のＡ−Ａ断面図である。
【符号の説明】
１２  遊技盤面
４０  変動入賞装置
４２Ｒ  右開閉部材
４２Ｌ  左開閉部材
４６Ｒ  右１０カウントスイッチ
４６Ｌ  左１０カウントスイッチ
５０Ｒ  右中央寄せ装置
５０Ｌ  左中央寄せ装置
５４  役物内検出スイッチ
５６  貯留装置
５６Ｒ  右貯留装置
５７Ｌ  左貯留装置
５８  遮蔽部材
【図１】
0003842021.tif 000002
【図２】
0003842021.tif 000003
【図３】
0003842021.tif 000004
【図４】
0003842021.tif 000005
【図５】
0003842021.tif 000006